(57)【要約】【課題】部品実装が容易で、従来よりも製造にかかる費用を抑えることができる両面液晶表示装置を提供する。【解決手段】両面発光型のバックライトユニットを構成する導光板７における、メイン液晶表示部１が設けられた面とは反対側の面に設けられたＦＰＣ３が、ＦＰＣ３におけるサブ液晶表示部２と対向する領域を部分的に切り抜いてなる、サブ液晶表示部２を嵌合する開口部８と開口部８の少なくとも一つの縁部から開口部８内に突出する突出部１０とを有している。ＦＰＣ３における導光板７とは反対側の面にはＬＥＤ６とその他の電子部品９とが搭載され、ＬＥＤ６は突出部１０の先端部１２に搭載されており、突出部１０が開口部８の縁部で折り返されてＬＥＤ６が導光板７の端面に配置されている。【選択図】図１
2009080340.tif 000002
【特許請求の範囲】
【請求項１】
第１の液晶表示部と、導光板の一端面から入射した光を導光板の両主面から面放射する両面発光型のバックライトユニットと、フレキシブル基板と、上記第１の液晶表示部よりも小さい第２の液晶表示部とが、上記第１の液晶表示部の表示面と第２の液晶表示部の表示面とが互いに逆向きになるようにこの順に設けられた両面液晶表示装置において、
上記フレキシブル基板は、該フレキシブル基板における上記第２の液晶表示部と対向する領域を部分的に切り抜いてなる、上記第２の液晶表示部を嵌合する開口部と該開口部の縁部から該開口部内に突出する突出部とを有し、
上記フレキシブル基板における上記導光板の搭載面とは反対側の面には、上記導光板に光を入射する光源と、その他の電子部品とが搭載され、上記光源は上記突出部の先端部に搭載されており、上記突出部が上記開口部の縁部で折り返されることで、上記導光板の搭載面とは反対側の面に設けられた上記光源が上記導光板の端面に配置されていることを特徴とする両面液晶表示装置。
【請求項２】
上記光源と、その他の電子部品とは、上記フレキシブル基板における上記導光板の搭載面とは反対側の面にのみ搭載されていることを特徴とする請求項１記載の両面液晶表示装置。
【請求項３】
上記突出部が設けられた縁部における上記突出部の両脇に、窪部もしくは切り込みが設けられていることを特徴とする請求項１または２記載の両面液晶表示装置。
【発明の詳細な説明】
【技術分野】
【０００１】
本発明は、両面発光型のバックライトユニットを備えた両面液晶表示装置に関するものである。
【背景技術】
【０００２】
近年、携帯電話やＰＤＡ(Personal Digital Assistant)端末等の携帯情報端末機器に搭載される表示装置として、表示装置の表裏両面で表示を行う両面表示型の液晶表示装置が注目されている。
【０００３】
このような液晶表示装置は、両面液晶表示装置と称され、主画面として使用されるメイン液晶表示部の裏側に、補助的に使用される小さな液晶表示部であるサブ液晶表示部が配置された構成を有している。
【０００４】
メイン液晶表示部は、例えば、２画面式の携帯電話におけるメイン画面として用いられ、サブ液晶表示部は、２画面式の携帯電話におけるサブ画面として用いられている。
【０００５】
図５は、一般的な両面液晶表示装置の構成の一例を示す断面図である。
【０００６】
図５に示す両面液晶表示装置は、メイン液晶表示部５１、メイン用導光板５２、メイン用反射板５３、メイン用ＬＥＤ（Light Emitting Diode；発光ダイオード）５４、メイン用ホルダ５５、サブ液晶表示部５６、サブ用導光板５７、サブ用反射板５８、サブ用ＬＥＤ５９、サブ用ホルダ６０、および平板状の硬質基板６１を備えている。
【０００７】
メイン液晶表示部５１、メイン用導光板５２、メイン用反射板５３、メイン用ＬＥＤ５４は、メイン用ホルダ５５に収容され、上記硬質基板６１の一方の主面に固定されている。一方、サブ液晶表示部５６、サブ用導光板５７、サブ用反射板５８、サブ用ＬＥＤ５９は、サブ用ホルダ６０に収容され、上記硬質基板６１における上記メイン用ホルダ５５の搭載面とは反対側の主面に固定されている。
【０００８】
液晶表示素子は自ら光を発しない非発光表示素子であるため、一般的にはバックライトと称される照明光が必要となる。このため、図５に示す両面液晶表示装置は、上記メイン用導光板５２、メイン用反射板５３、およびメイン用ＬＥＤ５４からなるメイン用バックライトユニットと、上記サブ用導光板５７、サブ用反射板５８、およびサブ用ＬＥＤ５９からなるサブ用バックライトユニットとの２つのバックライトユニットを有している。
【０００９】
しかしながら、両面液晶表示装置は、モバイル機器用の液晶表示装置として、持ち運びが便利な携帯情報端末機器への搭載を主たる用途とするため、小型化並びに薄型化が要求されている。
【００１０】
そこで、両面液晶表示装置の小型化並びに薄型化を図る手段の一つとして、例えば、１つのホルダで発光部を囲んだ両面液晶表示装置が提案されている（例えば特許文献１参照）。
【００１１】
図６は、特許文献１に記載の両面液晶表示装置の概略構成を示す断面図であり、図７は、図６に示す両面液晶表示装置におけるメイン液晶表示部およびサブ液晶表示部と、これらメイン液晶表示部およびサブ液晶表示部に圧着されたＦＰＣの概略構成を示す平面図である。
【００１２】
特許文献１に記載の両面液晶表示装置は、図６に示すように、メイン液晶表示部５１と、メイン用導光板５２と、メイン用反射板５３と、メイン用ＬＥＤ５４と、サブ液晶表示部５６と、サブ用導光板５７と、サブ用反射板５８と、サブ用ＬＥＤ５９と、上記メイン液晶表示部５１およびサブ液晶表示部５６に圧着された、いわゆるフレキシブル基板と称されるＦＰＣ（Flexible Printed Circuit；フレキシブルプリント基板）７１および接続用軟質ＦＰＣ７４と、ホルダ７５とを備えている。
【００１３】
上記メイン液晶表示部５１に圧着されたＦＰＣ７１は、図６および図７に示すように、二ヶ所の硬質部７２と、これら硬質部７２・７２を繋ぐ軟質部７３を含む、複数の軟質部７３とを有している。
【００１４】
メイン用ＬＥＤ５４およびサブ用ＬＥＤ５９は、上記硬質部７２・７２の所定位置に各々取り付けられており、図６に示すように、上記軟質部７３を屈曲させることで、メイン用導光板５２およびサブ用導光板５７の入光端部に各々配置されている。
【００１５】
また、図６および図７に示すように、上記メイン液晶表示部５１における上記ＦＰＣ７１との接続端とは反対側の端部並びに上記サブ液晶表示部５６は、上記ＦＰＣ７１とは別に設けられた接続用軟質ＦＰＣ７４にそれぞれ圧着されており、上記軟質部７３および接続用軟質ＦＰＣ７４において図６に示す状態に折り曲げられてホルダ７５に装着されている。
【００１６】
特許文献１に記載の両面液晶表示装置では、図６に示すように配置された１つのホルダ７５およびＦＰＣ７１の硬質部７２・７２によってメイン用ＬＥＤ５４およびサブ用ＬＥＤ５９が囲まれるため、これらメイン用ＬＥＤ５４およびサブ用ＬＥＤ５９から発せられる光は、不必要な部分へ漏れ出すことがない。したがって、特許文献１に記載の両面液晶表示装置では、図５に示す従来の両面液晶表示装置のようにメイン用ホルダ５５とサブ用ホルダ６０とによりメイン用ＬＥＤ５４およびサブ用ＬＥＤ５９を囲む必要がない。このように、特許文献１に記載の両面液晶表示装置では、１枚のＦＰＣ７１にメイン用ＬＥＤ５４およびサブ用ＬＥＤ５９を搭載することで、従来よりも小型化並びに薄型化を図っている。
【００１７】
しかしながら、特許文献１に記載の両面液晶表示装置もまた、図５に示す両面液晶表示装置同様、メイン用バックライトユニットと、サブ用バックライトユニットとの２つのバックライトユニットを必要とする。
【００１８】
このため、近年、両面液晶表示装置のさらなる小型化並びに薄型化を図る手段として、両面発光型バックライトユニットを有する両面液晶表示装置が提案されている。
【００１９】
図８は、両面発光型バックライトユニットを有する両面液晶表示装置の一例を示す分解斜視図である。また、図９（ａ）は、図８に示す両面液晶表示装置に設けられた、サブ液晶表示部が搭載されるＦＰＣの概略構成を示す平面図であり、図９（ｂ）は、図９（ａ）に示すＦＰＣの断面図である。
【００２０】
図８に示す両面液晶表示装置は、メイン液晶表示部８１と、サブ液晶表示部８２と、可撓性を有する基板であるＦＰＣ８３と、上記メイン液晶表示部８１を収容するホルダ８４と、該ホルダ８４内に収容された、図示しない両面発光型バックライトユニットとを有している。なお、サブ液晶表示部８２およびＦＰＣ８３は、必要に応じて、ホルダ内に収容して用いられる。
【００２１】
図８に示すサブ液晶表示部８２もまた、図５および図６に示す両面液晶表示装置同様、メイン液晶表示部８１よりも面積が小さく形成されており、メイン液晶表示部８１の背面側に設けられている。
【００２２】
上記両面発光型バックライトユニットは、図示しない導光板や光学シート、図９（ａ）・（ｂ）に示すＬＥＤ８６等から構成されており、例えば、導光板端面に配置されたＬＥＤ８６から導光板内部に入光した光を、導光板の表裏両面から出射（放射）させるようになっている。
【００２３】
上記両面発光型バックライトユニットは、上記したように、例えば、上記メイン液晶表示部８１を収容するホルダ８４の内側に挿入されている。上記両面発光型バックライトユニットを構成する導光板の一方の主面側には、メイン液晶表示部８１が貼り付けられ、上記導光板の他方の主面側には、上記ＦＰＣ８３が配置されている。
【００２４】
上記ＦＰＣ８３には、図８および図９（ａ）に示すように、サブ液晶表示部８２を嵌合する開口部８５が設けられている。サブ液晶表示部８２は、上記開口部８５内に配置されており、上記開口部８５を介して導光板から光が照射されるようになっている。
【００２５】
図９（ａ）・（ｂ）に示すように、上記ＦＰＣ８３の表面、すなわち、メイン液晶表示部８１側における上記開口部８５以外の領域には、上記メイン液晶表示部８１の背面に設けられた導光板の端面に位置するように、上記両面発光バックライトユニットを構成するＬＥＤ８６が配置されている。一方、上記ＦＰＣ８３の裏面、すなわち、サブ液晶表示部８２の表示面側における上記開口部８５以外の領域には、コンデンサや抵抗、ＩＣ等、上記メイン液晶表示部８１およびサブ液晶表示部８２を駆動するための電子部品８７が配置されている。
【００２６】
このように、両面発光バックライトユニットを有する両面液晶表示装置では、ＬＥＤ８６と他の電子部品８７とは、上記ＦＰＣ８３における互いに異なる面に実装されている。
【００２７】
しかしながら、上記構造は、ＬＥＤ８６と他の電子部品８７とが互いに異なる面に実装されていることから配線上の制約が大きく、配線自体が困難である上に、これらＬＥＤ８６および電子部品８７は、ＦＰＣ８３の両面に実装されることから、製造にかかる費用が高くなるという問題点を有している。
【００２８】
そこで、図１０に示すように、ＬＥＤ８６を、電子部品８７が設けられたＦＰＣ８３とは別のＦＰＣ８８に実装する方法も提案されている。
【特許文献１】特開２００５−１６５０８１号公報（公開日：２００５年６月２３日）
【特許文献２】特開２００５−１７９６４号公報（公開日：２００５年１月２０日）
【発明の開示】
【発明が解決しようとする課題】
【００２９】
しかしながら、図９（ａ）・（ｂ）に示すようにＬＥＤ８６の実装を、電子部品８７が設けられたＦＰＣ８３とは別のＦＰＣ８８で行う場合は、部品点数の増加により装置が大型化するとともに、製造にかかる費用が高くなるという問題を招来する。しかも、上記の構成ではＦＰＣ８３・８８間の接続が必要であり、これもまたコスト増加の要因の一つとなっている。
【００３０】
上記したように、両面発光型バックライトユニットを有する両面液晶表示装置は、メイン用およびサブ用に２つのバックライトユニットを必要としないことから、バックライトユニットを２つ必要とする両面液晶表示装置と比べて装置の薄型化を図ることができる一方、小型化により部品実装が困難になり、製造にかかる費用が高くなる傾向にある。
【００３１】
本発明は、上記問題点に鑑みなされたものであり、その目的は、部品実装が容易で、従来よりも製造にかかる費用を抑えることができる両面液晶表示装置を提供することにある。
【課題を解決するための手段】
【００３２】
本発明にかかる両面液晶表示装置は、上記課題を解決するために、第１の液晶表示部と、導光板の一端面から入射した光を導光板の両主面から面放射する両面発光型のバックライトユニットと、フレキシブル基板と、上記第１の液晶表示部よりも小さい第２の液晶表示部とが、上記第１の液晶表示部の表示面と第２の液晶表示部の表示面とが互いに逆向きになるようにこの順に設けられた両面液晶表示装置において、上記フレキシブル基板は、該フレキシブル基板における上記第２の液晶表示部と対向する領域を部分的に切り抜いてなる、上記第２の液晶表示部を嵌合する開口部と該開口部の縁部から該開口部内に突出する突出部とを有し、上記フレキシブル基板における上記導光板の搭載面とは反対側の面には、上記導光板に光を入射する光源と、その他の電子部品とが搭載され、上記光源は上記突出部の先端部に搭載されており、上記突出部が上記開口部の縁部で折り返されることで、上記導光板の搭載面とは反対側の面に設けられた上記光源が上記導光板の端面に配置されていることを特徴としている。
【００３３】
上記の構成の構成によれば、上記したように、上記フレキシブル基板における上記第２の液晶表示部を嵌合する開口部に、該開口部内に突出する突出部を設け、この突出部を上記開口部の縁部で折り返すことにより、従来は異なるフレキシブル基板もしくは同じフレキシブル基板であれば異なる面に実装されていた光源とその他の電子部品とを、別のフレキシブル基板を用いることなく、同じフレキシブル基板の同一面に実装することが可能である。
【００３４】
しかも、上記突出部は、上記フレキシブル基板における上記第２の液晶表示部と対向する領域を部分的に切り抜くことにより形成されているため、上記開口部の縁部に一体的に設けられており、上記フレキシブル基板に別途接続する必要はない。このため、上記突出部の接続に要する部品や接続工程が不要であるとともに、上記突出部を接続するための接続領域を確保する必要がない。このため、上記突出部によって部品実装領域が狭小化されることもない。
【００３５】
このため、上記両面液晶表示装置は、配線が容易であり、また、特許文献１および図１０に示すように、上記光源を搭載するために、電子部品が搭載された基板とは別の基板を用いる必要もない。したがって、上記の構成によれば、製造工程を簡略化並びに短縮化することができるとともに、従来よりも部品点数を減らすことができるため、製造にかかる費用を削減することができる。
【００３６】
したがって、本発明によれば、部品実装が容易で、従来よりも製造にかかる費用を抑えることができる両面液晶表示装置を提供することができるという効果を奏する。
【００３７】
また、本発明において、上記突出部は、従来、両面発光型のバックライトユニットを備えた両面液晶表示装置において第１の液晶表示部よりも小さい第２の液晶表示部の実装領域としてフレキシブル基板から切り取っていた部分である。したがって、本発明によれば、上記したように従来であれば廃棄していた、フレキシブル基板における第２の液晶表示部の実装領域に相当する領域に、上記光源を搭載することで、フレキシブル基板を有効利用することができる。
【００３８】
しかも、本発明によれば、上記光源は上記突出部に設けられていることで、上記フレキシブル基板本体から分離（離間）された状態となるため、上記フレキシブル基板に浮き等が発生した場合でも、上記フレキシブル基板の位置ズレの影響を受け難い。このため、上記導光板の入光端部に対して、上記光源の位置を安定させることができるという効果を併せて奏する。
【００３９】
なお、特許文献２は両面液晶表示装置に関するものではなく、上記特許文献２にはフレキシブル基板を折り曲げて使用することが開示されてはいるものの、フレキシブル基板における、第２の液晶表示部を嵌合する開口部を利用すること、並びに、上記光源とその他の電子部品とを上記フレキシブル基板の同一面に実装することによる本発明の効果については、上記特許文献２には開示がなされていない。
【００４０】
また、上記光源と、その他の電子部品とは、上記フレキシブル基板における上記導光板の搭載面とは反対側の面にのみ搭載（片面実装）されている構成とすることで、より容易に配線並びに部品実装を行うことができ、構成並びに製造工程を簡素なものとすることができる。したがって、上記の構成によれば、製造にかかる費用をより一層削減することができる。
【００４１】
上記両面液晶表示装置において、上記突出部が設けられた縁部における上記突出部の両脇には、窪部もしくは切り込みが設けられているが好ましい。
【００４２】
これにより、上記突出部を折り返したときに、上記突出部の折り返しによる湾曲部が上記開口部内に突出することを回避することができる。
【発明の効果】
【００４３】
本発明にかかる両面液晶表示装置は、以上のように、両面発光型のバックライトユニットを構成する導光板における、第１の液晶表示部が設けられた面とは反対側の面に設けられたフレキシブル基板が、該フレキシブル基板における上記第２の液晶表示部と対向する領域を部分的に切り抜いてなる、上記第２の液晶表示部を嵌合する開口部と該開口部の縁部から該開口部内に突出する突出部とを有し、上記フレキシブル基板における上記導光板の搭載面とは反対側の面には、上記導光板に光を入射する光源と、その他の電子部品とが搭載され、上記光源は上記突出部の先端部に搭載されており、上記突出部が上記開口部の縁部で折り返されることで、上記導光板の搭載面とは反対側の面に設けられた上記光源が上記導光板の端面に配置されている構成である。
【００４４】
上記の構成によれば、従来は異なるフレキシブル基板もしくは同じフレキシブル基板であれば異なる面に実装されていた光源とその他の電子部品とを、別のフレキシブル基板を用いることなく、同じフレキシブル基板の同一面に実装することができる。
【００４５】
しかも、上記突出部は、上記フレキシブル基板における上記第２の液晶表示部と対向する領域を部分的に切り抜くことにより形成されているため、上記開口部の縁部に一体的に設けられており、上記フレキシブル基板に別途接続する必要はない。このため、上記突出部の接続に要する部品や接続工程が不要であるとともに、上記突出部を接続するための接続領域を確保する必要がない。このため、上記突出部によって部品実装領域が狭小化されることもない。
【００４６】
このため、上記両面液晶表示装置は、配線が容易であり、また、特許文献１および図１０に示すように、上記光源を搭載するために、電子部品が搭載された基板とは別の基板を用いる必要もない。したがって、上記の構成によれば、製造工程を簡略化並びに短縮化することができるとともに、従来よりも部品点数を減らすことができるため、製造にかかる費用を削減することができる。
【００４７】
したがって、上記の構成によれば、部品実装が容易で、従来よりも製造にかかる費用を抑えることができる両面液晶表示装置を提供することができるという効果を奏する。
【００４８】
また、上記の構成によれば、上記光源が上記突出部に設けられていることで、上記フレキシブル基板における、従来であれば廃棄していた領域を有効利用することができるとともに、上記フレキシブル基板に浮き等が発生した場合でも、上記フレキシブル基板の位置ズレの影響を受け難く、上記導光板の入光端部に対して、上記光源の位置を安定させることができるという効果を併せて奏する。
【発明を実施するための最良の形態】
【００４９】
本発明の一実施形態について図１ないし図４に基づいて説明すれば以下の通りである。
【００５０】
図２は、本実施の形態にかかる両面液晶表示装置の分解斜視図である。
【００５１】
本発明の実施の形態にかかる両面液晶表示装置は、両面発光バックライトユニットを有する、いわゆる両面発光バックライト仕様の両面液晶表示装置（両面液晶モジュール）である。
【００５２】
本発明の実施の形態にかかる両面液晶表示装置は、図２に示すように、第１の液晶表示部であるメイン液晶表示部１と、第２の液晶表示部であるサブ液晶表示部２と、可撓性を有する、いわゆるフレキシブル基板と称されるＦＰＣ（Flexible Printed Circuit；フレキシブルプリント基板）３と、両面発光型バックライトユニット４と、上記メイン液晶表示部１および両面発光型バックライトユニット４を収容するホルダ５とを有している。なお、サブ液晶表示部２およびＦＰＣ３は、必要に応じて、ホルダ内に収容して用いられる。
【００５３】
上記両面発光型バックライトユニット４は、光源としてのＬＥＤ６と、ＬＥＤ６から入射された光を、表裏両面、すなわち、上記メイン液晶表示部１およびサブ液晶表示部２に照射する導光板７とを備えている。上記両面発光型バックライトユニット４は、上記導光板７の端面に光源が配置されるいわゆるサイドライト型の構造を有している。
【００５４】
上記導光板７は、例えばアクリル樹脂等の透明材料で形成されている。また、上記導光板７の表裏両面には、図示しない光学シート（光学フィルム類）が配置されている。
【００５５】
上記光学シートは、例えば、上記メイン液晶表示部１およびサブ液晶表示部２に均一な光を照射するための拡散板、光を集光しつつ散乱させる拡散シート、光を集光し正面方向の輝度を向上させるレンズシート、光の一方の偏光成分（片偏光成分）を反射し、他方の偏光成分（片偏光成分）を透過することによって輝度を向上させる偏光反射シート等によって構成される。これらは、上記両面液晶表示装置の価格や性能によって適宜組み合わせて使用される。なお、上記偏光反射シートは、例えば、上記導光板７における、上記メイン液晶表示部１の搭載面とは反対側の面における上記サブ液晶表示部２と重ならない領域に、必要に応じて設けられる。
【００５６】
上記両面発光型バックライトユニット４には公知の両面発光型バックライト装置を用いることができる。上記両面発光型バックライトユニット４の構成は、従来の両面発光型バックライト装置と同様である。したがって、上記両面発光型バックライトユニット４の詳細な説明並びに詳細な構成の図示は省略する。
【００５７】
上記両面発光型バックライトユニット４は、上記したように、例えば、上記メイン液晶表示部１を収容するホルダ５の内側に挿入されている。上記両面発光型バックライトユニット４を構成する導光板７の一方の主面側には、上記メイン液晶表示部１が貼り付けられ、上記導光板７の他方の主面側にはＦＰＣ３およびサブ液晶表示部２が配置されている。
【００５８】
上記メイン液晶表示部１とサブ液晶表示部２とは、互いに表示面（観察面）が逆向きになるように上記導光板７の異なる主面に設けられている。上記両面液晶表示装置において、例えば、表側の表示は、メイン液晶表示部１により行われ、裏側の表示は、サブ液晶表示部２により行われる。
【００５９】
上記メイン液晶表示部１は、主画面として使用され、例えば２画面式の携帯電話におけるメイン画面として用いられる。一方、サブ液晶表示部２は、メイン液晶表示部１よりも面積が小さく形成されており、例えば２画面式の携帯電話におけるサブ画面として、補助的に使用される。
【００６０】
上記メイン液晶表示部１およびサブ液晶表示部２には公知の液晶表示パネルを用いることができる。上記メイン液晶表示部１およびサブ液晶表示部２の構成は、従来の液晶表示装置に使用される一般的な液晶表示パネルと同様である。したがって、上記メイン液晶表示部１およびサブ液晶表示部２についても、その詳細な説明並びに詳細な構成の図示を省略する。
【００６１】
本実施の形態において、上記メイン液晶表示部１およびサブ液晶表示部２として使用される液晶表示パネルの構成は特に限定されず、適宜公知の液晶表示パネルを適用することができる。上記液晶表示パネルは、例えば、複数のＴＦＴ（薄膜トランジスタ）が形成されたアクティブマトリクス基板と、該アクティブマトリクス基板に対向する対向基板とを備え、これら一対の基板間に液晶層がシール材によって封入された構成を有している。上記対向基板としては、例えば、ＣＦ（カラーフィルタ）基板が用いられる。
【００６２】
上記ＦＰＣ３は、図１（ａ）および図２並びに図３（ａ）に示すように、該ＦＰＣ３を部分的に切り抜いてなる、上記サブ液晶表示部２が嵌合する開口部８（貫通口）と該開口部８の縁部から該開口部８内に突出するＦＰＣ片（すなわち、上記ＦＰＣ３からなるＦＰＣ片）からなる突出部１０とを有している。
【００６３】
上記ＦＰＣ３は、例えばポリイミド等からなり、上記突出部１０は、図１（ａ）・（ｂ）および図２に示すように、上記開口部８の縁部において、導光板７側に湾曲するように、上記ＦＰＣ３と平行に１８０度折り返されている。
【００６４】
上記ＦＰＣ３における、上記開口部８以外の領域は、部品実装領域として用いられる。上記突出部１０には、前記ＬＥＤ６が搭載されている。
【００６５】
図３（ａ）は、上記ＬＥＤ６が搭載された突出部１０を折り返す（折り曲げる）前のＦＰＣ３を、該ＦＰＣ３における上記導光板７の搭載面とは反対側の面（以下、「裏面」と記す）から見たときの構成を示す平面図であり、図３（ｂ）は、図３（ａ）に示す状態のＦＰＣ３の側面図である。また、図１（ａ）は、上記ＬＥＤ６が搭載された突出部１０を折り返した後のＦＰＣ３の状態を示す平面図であり、図１（ｂ）は、上記突出部１０を折り返した後のＬＥＤ６と導光板７との位置関係を示す側面図である。
【００６６】
図３（ａ）・（ｂ）に示すように、上記ＬＥＤ６およびその他の電子部品９は、上記ＦＰＣ３の裏面、すなわち、上記ＦＰＣ３における上記導光板７の搭載面とは反対側の面に搭載（実装）されている。
【００６７】
上記電子部品９としては、例えば、上記ＬＥＤ６を点灯制御するための駆動回路（ドライバ）や、コンデンサ、抵抗、ＩＣ等の、メイン液晶表示部１およびサブ液晶表示部２を駆動するための駆動回路等に用いられる電子部品（駆動用チップ）が挙げられる。
【００６８】
これら電子部品９は、上記ＦＰＣ３の裏面における上記開口部８の外側に搭載されている。上記メイン液晶表示部１およびサブ液晶表示部２は、上記部品実装領域において、上記電子部品９と電気的に接続されている。すなわち、上記ＦＰＣ３は、上記メイン液晶表示部１およびサブ液晶表示部２を駆動制御する制御基板として用いられる。
【００６９】
また、図３（ａ）に示すように、上記突出部１０は、上記開口部８の縁部の一部に、該縁部から該開口部８の内側に向かって延びる軸部１１と、該軸部１１の先端に設けられ、該軸部１１よりも幅広の（つまり、該軸部１１が設けられた開口部８の縁部に平行に延設された）先端部１２とを有している。上記ＬＥＤ６は、上記突出部１０における先端部１２の裏面側に、上記先端部１２の延設方向に沿って一列に配されている。
【００７０】
上記ＬＥＤ６は、図１（ａ）に示すように、上記突出部１０が上記開口部８の縁部で折り返されて裏返されることにより、図１（ｂ）に示すように上記導光板７の端面に配置されている。
【００７１】
上記サブ液晶表示部２は、上記突出部１０が上記開口部８の縁部で折り返された開口部８内に嵌合されている。
【００７２】
このように上記サブ液晶表示部２が上記開口部８内に配されることで装置を薄型化することができる。上記サブ液晶表示部２には、上記開口部８を介して導光板７から光が照射される。すなわち、上記開口部８は、上記サブ液晶表示部２に光を照射（入光）する入光部として機能するとともに、上記ＦＰＣ３は、上記導光板７からサブ液晶表示部２に照射される光が不必要な部分に漏れ出ることを防止する遮光体としても機能する。
【００７３】
ここで、本実施の形態にかかる両面液晶表示装置の製造方法の一例について説明する。
【００７４】
まず、図３（ａ）・（ｂ）に示すように、可撓性を有するＦＰＣ３におけるサブ液晶表示部２の実装領域（すなわち、上記ＦＰＣ３にサブ液晶表示部２を搭載したときに該サブ液晶表示部２と重なる領域）を、一部を残して部分的に刳り貫くことによって、上記開口部８および該開口部８の少なくとも一つの縁部（図３（ａ）・（ｂ）では一縁部）から該開口部８内に突出する少なくとも一つ（図３（ａ）・（ｂ）では一つ）の突出部１０を形成する。上記開口部８は、上記突出部１０を折り返したときに上記サブ液晶表示部２が嵌合するように、上記突出部１０を折り返したときに上記サブ液晶表示部２の形状と同じ形状を有するように開口されている。
【００７５】
また、本実施の形態では、図３（ａ）に示すように、上記突出部１０として、上記開口部８における、上記導光板７の入光端面側に相当する縁部に軸部１１を有するＬ字状の突出部を設けている。
【００７６】
本実施の形態において上記軸部１１の長さは特に限定されるものではないが、上記突出部１０を上記開口部８の縁部、つまり、上記軸部１１の基部（根元）で１８０度折り返すことにより上記ＦＰＣ３に平行に折り曲げたときに上記先端部１２が上記導光板７の入光端面に位置する長さに形成されていることが、装置の小型化を図る上で好ましい。
【００７７】
また、上記開口部８における上記軸部１１が形成された縁部には、図３（ａ）に示すように、上記軸部１１の折り返しによる湾曲部が上記開口部８内に突出しないように、上記軸部１１の両脇に、窪部１３・１３（もしくは切り込み）が設けられていることが好ましい。これにより、上記サブ液晶表示部２が上記突出部１０に接触しないように上記開口部８を広げる必要はなく、また、上記突出部１０が、上記導光板７から上記サブ液晶表示部２に照射される光を遮ることもない。また、上記突出部１０を折り返したときに上記突出部１０が開口部８内に突出しないので、上記開口部８に上記サブ液晶表示部２をスムーズに嵌合させることができる。
【００７８】
また、図３（ａ）に示すように、上記軸部１１の根元が、上記開口部８の縁部側に広がったテーパ状に形成されていることで、上記突出部１０を上記軸部１１で折り返したときに、上記突出部１０をより安定して支えることができる。
【００７９】
次に、上記ＦＰＣ３の裏面側の面となる面に、上記ＬＥＤ６と電子部品９とを搭載する。このとき、上記ＬＥＤ６は、上記突出部１０の先端部１２に搭載する。
【００８０】
次いで、図１（ａ）・（ｂ）に示すように、上記ＬＥＤ６が搭載された突出部１０を、上記開口部８の縁部において、該開口部８の縁部に一体的に形成された軸部１１の根元から湾曲させて、上記ＦＰＣ３の表面側（すなわち、上記電子部品９の搭載面とは反対面側）に１８０度折り返した後、両裏面に光学シートが設けられた導光板７を上記ＦＰＣ３における上記電子部品９の搭載面側とは反対面側に搭載して上記ＬＥＤ６を導光板７の端面（入光端面）に位置合わせする。
【００８１】
その後、前記図８に示す従来の両面液晶表示装置同様、上記開口部８内に上記サブ液晶表示部２を配置するとともに、上記導光板７における上記ＦＰＣ３とは反対側の面上に、上記メイン液晶表示部１並びにホルダ５を実装する。
【００８２】
以上のように、本実施の形態にかかる両面液晶表示装置は、第１の液晶表示部であるメイン液晶表示部１と、該メイン液晶表示部１の背面側に、該メイン液晶表示部１とは表示面が逆向きになるように配された、該メイン液晶表示部１よりも小さい、第２の液晶表示部であるサブ液晶表示部２と、上記メイン液晶表示部１とサブ液晶表示部２との間に設けられた導光板７を有し、該導光板７の一端面から入射した光を、該導光板７の両主面から面放射させることで上記メイン液晶表示部１とサブ液晶表示部２とに光を照射する両面発光型バックライトユニット４と、上記導光板７における、上記メイン液晶表示部１が設けられた主面とは反対側の主面に設けられたＦＰＣ３（フレキシブル基板）とを備え、上記ＦＰＣ３は、該ＦＰＣ３における上記サブ液晶表示部２と対向する領域を部分的に切り抜いてなる、上記サブ液晶表示部２を嵌合する開口部８と該開口部８の縁部（少なくとも一つの縁部）から該開口部８内に突出する突出部１０（少なくとも一つの突出部）とを有し、上記ＦＰＣ３における上記導光板７搭載面とは反対側の面における上記開口部８の外側の領域に、例えば、上記導光板７に光入射する例えばＬＥＤ６等の光源並びに上記メイン液晶表示部１およびサブ液晶表示部２を駆動する電子部品９が搭載されているとともに、上記突出部１０の先端部１２における、上記電子部品９が搭載された面と同じ側の面に上記光源が搭載されており、上記突出部１０が上記開口部８の縁部で折り返されて上記光源が上記導光板７の端面に配置されているとともに、上記突出部１０が上記開口部８の縁部で折り返された開口部８内に上記サブ液晶表示部２が嵌合されている構成を有している。
【００８３】
本実施の形態によれば、上記したように、上記ＦＰＣ３におけるサブ液晶表示部２を嵌合する開口部８に、該開口部８内に突出する突出部１０を設け、この突出部１０を上記開口部８の縁部で折り返すことにより、従来は異なるＦＰＣもしくは同じＦＰＣであれば異なる面に実装されていたＬＥＤとその他の電子部品（駆動用チップ）とを、別のＦＰＣを用いることなく、同じＦＰＣ３の同一面に実装（例えば片面実装）することができる。
【００８４】
しかも、上記突出部１０は、上記ＦＰＣ３における上記サブ液晶表示部２と対向する領域を部分的に切り抜くことにより形成されているため、上記開口部８の縁部に一体的に設けられており、上記ＦＰＣ３に別途接続する必要はない。このため、上記突出部１０の接続に要する部品や接続工程が不要であるとともに、上記突出部１０を接続するための接続領域を確保する必要がない。このため、上記突出部１０によって部品実装領域が狭小化されることもない。
【００８５】
このため、上記両面液晶表示装置は、配線が容易であり、また、特許文献１および図１０に示すように、ＬＥＤ６を搭載するために別のＦＰＣを用いる必要もない。したがって、製造工程を簡略化並びに短縮化することができるとともに、従来よりも部品点数を減らすことができるため、製造にかかる費用を削減することができる。
【００８６】
しかも、上記突出部１０は、従来、サブ液晶表示部の実装領域としてＦＰＣから切り取っていた部分であり、本実施の形態では、このように従来であれば廃棄していた、サブ液晶表示部の実装領域に相当するＦＰＣに、上記ＬＥＤ６を搭載することで、ＦＰＣを有効利用することができる。
【００８７】
また、本実施の形態によれば、図１（ｂ）および図４に示すように、上記ＬＥＤ６は突出部１０に設けられていることで、上記ＦＰＣ３の基板面から分離（離間）された状態となるため、図４に示すようにＦＰＣ３の浮き等が発生した場合でも、上記ＦＰＣ３の位置ズレの影響を受け難く、導光板７の入光端部に対して、ＬＥＤ６の位置を安定させることが可能となる。
【００８８】
また、例えば、図１０に示すような両面発光型バックライトユニットを備えた従来の両面液晶表示装置に、特許文献１に示す技術を適用し、ＦＰＣ８３に軟質ＦＰＣを圧着し、該軟質ＦＰＣにＬＥＤを搭載して折り曲げた場合、この軟質ＦＰＣを圧着する工程が必要となるとともに、小型化によりただでさえ部品実装が困難なＦＰＣ８３において、さらに、上記軟質ＦＰＣを圧着する領域を確保する必要がある。しかも、上記軟質ＦＰＣを上記ＦＰＣ８３に圧着することで、その分、装置が大型化することになる。
【００８９】
しかしながら、本実施の形態によれば、上記したようにＬＥＤ６を搭載するために別のＦＰＣを接続するための領域をわざわざ設ける必要がないので、部品搭載領域を狭小化することがない。
【００９０】
しかも、上記の構成によれば、ＬＥＤの搭載に別のＦＰＣを用いる場合と比較して、装置の小型化および薄型化を図ることもできる。
【００９１】
また、上記の構成によれば、上記したように、部品搭載領域を狭小化しないのみならず、図９（ａ）・（ｂ）に示す両面発光型バックライトユニットを備えた従来の両面液晶表示装置のように、ＦＰＣ８３における開口部８５の外側の領域にＬＥＤ８６を搭載しないので、図９（ａ）・（ｂ）に示す両面液晶表示装置においてＬＥＤ８６を搭載していた領域を、別の目的に利用もしくは削除することができる。
【００９２】
例えば、上記領域（ＬＥＤ８６の搭載領域）、すなわち、上記ＦＰＣ３における電子部品９の搭載面とは反対面側の開口部８の外側の領域にも電子部品９を搭載することで、別のＦＰＣを用いることなく部品実装領域を拡大することができる。
【００９３】
つまり、本実施の形態では、上記突出部１０にＬＥＤ６のみを搭載した構成を例に挙げて説明したが、上記突出部１０におけるＬＥＤ６の搭載面とは反対側の面にも、電子部品９、例えば、上記ＬＥＤ６を駆動する駆動回路に用いられる電子部品（駆動用チップ）を実装することで、部品実装領域を拡大することができる。
【００９４】
また、上記突出部１０を折り返した後のＬＥＤ６と電子部品９、例えば、上記ＬＥＤ６を駆動する駆動回路に用いられる上記電子部品とが、ＦＰＣ３における同一面（つまり表面）に実装されている構成としてもよい。
【００９５】
これにより、上記ＦＰＣ３における開口部８の外側の領域の面積が小さくても部品実装領域を確保することができるので、装置のさらなる小型化を図ることもできる。
【００９６】
また、本実施の形態では、前記したように、上記開口部８の一縁部に上記突出部１０を設ける構成を例に挙げて説明したが、本実施の形態はこれに限定されるものではない。
【００９７】
例えば、上記開口部８における、上記突出部１０が設けられた縁部とは異なる縁部、例えば、上記縁部に隣り合う縁部に、上記突出部１０を避けて１つまたは複数の突出部１０を設けるか、あるいは、上記縁部に対向する縁部に上記突出部１０と同様の突出部１０を設ける等、複数の突出部１０にＬＥＤ６を各々搭載して各々の縁部、すなわち各々の突出部１０の根元から導光板７側に各突出部１０を折り返すことで、別のＦＣＰを用いることなく、上記導光板７における前記入光端面とは別の端面にもＬＥＤ６を配置することができる。
【００９８】
上記の構成によれば、このように複数設けられた各ＬＥＤ６を個別に点灯制御することで、各ＬＥＤ６の発光量を独立調整することができ、輝度の調整を容易に行うことができる。これにより、階調表示を容易に行うことができる。
【００９９】
また、複数形成した突出部１０の少なくとも一つに、上記電子部品９の搭載を担わせることで、部品実装領域の拡大を図ることもできる。
【０１００】
以上のように、本実施の形態では、主に、光源であるＬＥＤ６以外の電子部品９を、上記ＦＰＣ３の裏面における上記突出部１０以外の領域に搭載する場合を例に挙げて説明したが、本実施の形態は、上記したように光源が上記突出部１０における上記ＦＰＣ３の裏面側に相当する面に搭載されてさえいれば、図１（ａ）・（ｂ）〜図３（ａ）・（ｂ）に示した構成に限定されるものではなく、種々の応用が可能である。
【０１０１】
また、本実施の形態では、上記光源としてＬＥＤ６を例に挙げて説明したが、本実施の形態はこれに限定されるものではなく、上記光源としては、点状光源であっても線状光源であっても構わない。但し、上記両面液晶表示装置を、携帯電話やＰＤＡ端末等の携帯情報端末機器に搭載される表示装置として使用する場合には、上記光源としては、点状光源、特に、上記したようにＬＥＤを使用することが、装置を小型化する上で好ましい。
【０１０２】
また、本実施の形態では、前記したように、上記突出部１０がＬ字状に形成されている場合を例に挙げて説明したが、本実施の形態はこれに限定されるものではなく、所望の形状並びに大きさ（先端部１２の幅）を有する突出部を形成することができる。また、上記軸部１１の数も特に限定されるものではない。上記突出部１０としては、例えばＴ形状の突出部であってもよい。また、上記軸部１１の数は、１本であってもよく、２本またはそれ以上であってもよい。
【０１０３】
また、本実施の形態では、前記したように、メイン液晶表示部１および両面発光型バックライトユニット４を収容するホルダ５が設けられているとともに、サブ液晶表示部２およびＦＰＣ３が、必要に応じてホルダ内に収容して用いられる構成としたが、本実施の形態において、前記メイン液晶表示部１、サブ液晶表示部２、ＦＰＣ３、および両面発光型バックライトユニット４以外の構成については、特に限定されるものではない。また、これら構成要素の具体的な大きさも特に限定されるものではない。
【０１０４】
例えば、上記両面液晶表示装置は、ホルダとして、上記メイン液晶表示部１、サブ液晶表示部２、ＦＰＣ３、および両面発光型バックライトユニット４を収容するホルダを備えていてもよい。また、上記両面液晶表示装置は、携帯情報端末機器以外の情報端末機器等の電子機器に備えられている構成を有していてもよい。
【０１０５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０６】
上記両面液晶表示装置は、表示装置の表裏両面で表示を行う両面表示型の液晶表示装置であり、メイン画面とサブ画面とを有する２画面式の携帯電話やＰＤＡ端末等、携帯情報端末機器に特に好適に用いることができる。
【図面の簡単な説明】
【０１０７】
【図１】（ａ）は、本発明の実施の一形態にかかる両面液晶表示装置におけるフレキシブル基板に設けられた開口部内の突出部を折り返した後の上記フレキシブル基板の状態を示す平面図であり、（ｂ）は、上記突出部を折り返した後の光源と導光板との位置関係を示す側面図である。
【図２】本発明の実施の一形態にかかる両面液晶表示装置の分解斜視図である。
【図３】（ａ）は、上記両面液晶表示装置に設けられた突出部を折り返す前のフレキシブル基板を、該フレキシブル基板における導光板の搭載面とは反対側の面から見たときの構成を示す平面図であり、（ｂ）は、（ａ）に示す状態のフレキシブル基板の側面図である。
【図４】上記両面液晶表示装置におけるフレキシブル基板に浮きが発生した前後の光源と導光板との位置関係を示す側面図である。
【図５】従来の一般的な両面液晶表示装置の構成の一例を示す断面図である。
【図６】特許文献１に記載の従来の両面液晶表示装置の概略構成を示す断面図である。
【図７】図６に示す両面液晶表示装置におけるメイン液晶表示部およびサブ液晶表示部と、これらメイン液晶表示部およびサブ液晶表示部に圧着されたフレキシブル基板の概略構成を示す平面図である。
【図８】両面発光型バックライトユニットを有する従来の両面液晶表示装置の一例を示す分解斜視図である。
【図９】（ａ）は、図８に示す両面液晶表示装置に設けられた、サブ液晶表示部が搭載されるフレキシブル基板の概略構成を示す平面図であり、（ｂ）は、（ａ）に示すフレキシブル基板の断面図である。
【図１０】両面発光型バックライトユニットを有する従来の両面液晶表示装置の概略構成を模式的に示す図である。
【符号の説明】
【０１０８】
１    メイン液晶表示部（第１の液晶表示部）
２    サブ液晶表示部（第２の液晶表示部）
３    ＦＰＣ（フレキシブル基板）
４    両面発光型バックライトユニット
５    ホルダ
６    ＬＥＤ（光源）
７    導光板
８    開口部
９    電子部品
１０    突出部
１１    軸部
１２    先端部
１３    窪部
【図１】
2009080340.tif 000003
【図２】
2009080340.tif 000004
【図３】
2009080340.tif 000005
【図４】
2009080340.tif 000006
【図５】
2009080340.tif 000007
【図６】
2009080340.tif 000008
【図７】
2009080340.tif 000009
【図８】
2009080340.tif 000010
【図９】
2009080340.tif 000011
【図１０】
2009080340.tif 000012